(57)【要約】【課題】異なるタイムゾーンのユーザーに属するスケジュールを容易に把握、および管理できるスケジュール管理プログラムを提供する。【解決手段】管理ソフトウエアのオブジェクト提示手段は、スケジュール作成画面に入力された値と、ユーザーデータ、カレンダーデータ、および設備データに基づき、スケジュール確認画面２２Ｂを表示する。スケジュール２３３は、ユーザーである東京にいる「富士太郎」と上海にいる「王峰」のタイムゾーンを考慮して、時間帯をずらして同一時間となるように表示する。また、同様に、設備である「本社３０３会議室」と「上海支社１１１会議室」のタイムゾーンを考慮して、時間帯をずらして同一時間となるように表示する。【選択図】図７
2009059164.tif 000002
【特許請求の範囲】
【請求項１】
ユーザーに指定された予定の時間帯と、前記予定に関する複数の固有情報とに関連づけた予定設定情報を作成する設定情報作成ステップと、
前記予定設定情報に関連づけられた前記複数の固有情報のそれぞれに関連づけられたタイムゾーンと、前記時間帯を指定した前記ユーザーに応じたタイムゾーンとに基づいて、前記時間帯を前記予定設定情報に関連づけられた前記複数の固有情報のそれぞれのタイムゾーンにおける時間帯に変換して前記予定設定情報を提示する設定情報提示ステップとをコンピュータに実行させることを特徴とするスケジュール管理プログラム。
【請求項２】
ユーザーに指定された予定の時間帯と、前記予定に関する複数の固有情報とに関連づけた予定設定情報を作成する設定情報作成ステップと、
前記予定設定情報に関連づけられた前記複数の固有情報のそれぞれに関連づけられたカレンダー情報に設定されたタイムゾーンと、前記時間帯を指定した前記ユーザーに関連づけられたカレンダー情報に設定されたタイムゾーンとに基づいて、前記時間帯を前記予定設定情報に関連づけられた前記複数の固有情報のそれぞれに関連づけられたカレンダー情報に設定されたタイムゾーンにおける時間帯に変換して前記予定設定情報を提示する設定情報提示ステップとをコンピュータに実行させることを特徴とするスケジュール管理プログラム。
【請求項３】
前記設定情報提示ステップは、前記時間帯を前記予定設定情報に関連づけられた前記複数の固有情報のそれぞれのタイムゾーンにおける時間帯に変換して前記予定設定情報を表示装置に表示する際に、前記予定設定情報に関連づけられた前記複数の固有情報をそれぞれのタイムゾーンにおいて同時となるように、前記複数の固有情報の時間帯を時間軸方向にそれぞれ配置して帯状に表示することを特徴とする請求項１または２に記載のスケジュール管理プログラム。
【請求項４】
ユーザーに指定された予定の時間帯と、前記予定に関する複数の固有情報とに関連づけた予定設定情報を作成する設定情報作成手段と、
前記予定設定情報に関連づけられた前記複数の固有情報のそれぞれに関連づけられたタイムゾーンと、前記時間帯を指定した前記ユーザーに応じたタイムゾーンとに基づいて、前記時間帯を前記予定設定情報に関連づけられた前記複数の固有情報のそれぞれのタイムゾーンにおける時間帯に変換して前記予定設定情報を提示する設定情報提示手段とを有することを特徴とするスケジュール管理装置。
【請求項５】
ユーザーに指定された予定の時間帯と、前記予定に関する複数の固有情報とに関連づけた予定設定情報を作成する設定情報作成手段と、
前記予定設定情報に関連づけられた前記複数の固有情報のそれぞれに関連づけられたカレンダー情報に設定されたタイムゾーンと、前記時間帯を指定した前記ユーザーに関連づけられたカレンダー情報に設定されたタイムゾーンとに基づいて、前記時間帯を前記予定設定情報に関連づけられた前記複数の固有情報のそれぞれに関連づけられたカレンダー情報に設定されたタイムゾーンにおける時間帯に変換して前記予定設定情報を提示する設定情報提示手段とを有することを特徴とするスケジュール管理装置。
【発明の詳細な説明】
【技術分野】
【０００１】
本発明は、スケジュール管理プログラムおよびスケジュール管理装置に関する。
【背景技術】
【０００２】
ユーザーごとに言語、タイムゾーン等を設定できるスケジュール管理プログラムが知られている（例えば、特許文献１）。
【０００３】
この特許文献１のスケジュール管理プログラムは、ユーザーごとに言語、タイムゾーン等を考慮したエージェントプログラムを動作させ、他のユーザーのエージェントプログラムとの間において、各種データの送受を実施し、他のユーザーのデータを受信した場合には、そのデータをユーザーのタイムゾーンにおける時間で表示する。また、エージェントプログラムを用いて、所望のユーザーに対して空きスケジュールの検索要求をすることができ、スケジュールを容易に把握することができる。
【特許文献１】特開２００６−３０１９７２号公報
【発明の開示】
【発明が解決しようとする課題】
【０００４】
本発明の目的は、ユーザーに指定された予定の時間帯を、時簡帯を指定したユーザに応じたタイムゾーンに基づいて、他のタイムゾーンにおける時間帯に変換して提示するスケジュール管理プログラムおよびスケジュール管理装置を提供することにある。
【課題を解決するための手段】
【０００５】
本発明の一態様は、上記目的を達成するため、以下のスケジュール管理プログラム、およびスケジュール管理装置を提供する。
【０００６】
［１］ユーザーに指定された予定の時間帯と、前記予定に関する複数の固有情報とに関連づけた予定設定情報を作成する設定情報作成ステップと、前記予定設定情報に関連づけられた前記複数の固有情報のそれぞれに関連づけられたタイムゾーンと、前記時間帯を指定した前記ユーザーに応じたタイムゾーンとに基づいて、前記時間帯を前記予定設定情報に関連づけられた前記複数の固有情報のそれぞれのタイムゾーンにおける時間帯に変換して前記予定設定情報を提示する設定情報提示ステップとをコンピュータに実行させることを特徴とするスケジュール管理プログラム。
【０００７】
［２］ユーザーに指定された予定の時間帯と、前記予定に関する複数の固有情報とに関連づけた予定設定情報を作成する設定情報作成ステップと、前記予定設定情報に関連づけられた前記複数の固有情報のそれぞれに関連づけられたカレンダー情報に設定されたタイムゾーンと、前記時間帯を指定した前記ユーザーに関連づけられたカレンダー情報に設定されたタイムゾーンとに基づいて、前記時間帯を前記予定設定情報に関連づけられた前記複数の固有情報のそれぞれに関連づけられたカレンダー情報に設定されたタイムゾーンにおける時間帯に変換して前記予定設定情報を提示する設定情報提示ステップとをコンピュータに実行させることを特徴とするスケジュール管理プログラム。
【０００８】
［３］前記設定情報提示ステップは、前記時間帯を前記予定設定情報に関連づけられた前記複数の固有情報のそれぞれのタイムゾーンにおける時間帯に変換して前記予定設定情報を表示装置に表示する際に、前記予定設定情報に関連づけられた前記複数の固有情報をそれぞれのタイムゾーンにおいて同時となるように、前記複数の固有情報の時間帯を時間軸方向にそれぞれ配置して帯状に表示することを特徴とする前記［１］または［２］に記載のスケジュール管理プログラム。
【０００９】
［４］ユーザーに指定された予定の時間帯と、前記予定に関する複数の固有情報とに関連づけた予定設定情報を作成する設定情報作成手段と、前記予定設定情報に関連づけられた前記複数の固有情報のそれぞれに関連づけられたタイムゾーンと、前記時間帯を指定した前記ユーザーに応じたタイムゾーンとに基づいて、前記時間帯を前記予定設定情報に関連づけられた前記複数の固有情報のそれぞれのタイムゾーンにおける時間帯に変換して前記予定設定情報を提示する設定情報提示手段とを有することを特徴とするスケジュール管理装置。
【００１０】
［５］ユーザーに指定された予定の時間帯と、前記予定に関する複数の固有情報とに関連づけた予定設定情報を作成する設定情報作成手段と、前記予定設定情報に関連づけられた前記複数の固有情報のそれぞれに関連づけられたカレンダー情報に設定されたタイムゾーンと、前記時間帯を指定した前記ユーザーに関連づけられたカレンダー情報に設定されたタイムゾーンとに基づいて、前記時間帯を前記予定設定情報に関連づけられた前記複数の固有情報のそれぞれに関連づけられたカレンダー情報に設定されたタイムゾーンにおける時間帯に変換して前記予定設定情報を提示する設定情報提示手段とを有することを特徴とするスケジュール管理装置。
【発明の効果】
【００１１】
請求項１に係るスケジュール管理プログラムによれば、ユーザーに指定された予定の時間帯を、時簡帯を指定したユーザに応じたタイムゾーンに基づいて、他のタイムゾーンにおける時間帯に変換して提示することができる。
【００１２】
請求項２に係るスケジュール管理プログラムによれば、ユーザーに指定された予定の時間帯を、時簡帯を指定したユーザに応じたカレンダー情報に設定されたタイムゾーンに基づいて、他のタイムゾーンにおける時間帯に変換して提示することができる。
【００１３】
請求項３に係るスケジュール管理プログラムによれば、異なるタイムゾーンに属するユーザーのスケジュールをそれぞれ同時となるように帯状に表示することができる。
【００１４】
請求項４に係るスケジュール管理装置によれば、ユーザーに指定された予定の時間帯を、時簡帯を指定したユーザに応じたタイムゾーンに基づいて、他のタイムゾーンにおける時間帯に変換して提示することができる。
【００１５】
請求項５に係るスケジュール管理装置によれば、ユーザーに指定された予定の時間帯を、時簡帯を指定したユーザに応じたタイムゾーンに基づいて、他のタイムゾーンにおける時間帯に変換して提示することができる。
【発明を実施するための最良の形態】
【００１６】
以下に、本発明のスケジュール管理プログラム、および、スケジュール管理プログラムにより実現されるスケジュール管理装置の実施の形態を図面を参考にして詳細に説明する。
【００１７】
〔実施の形態〕
（ネットワークの構成）
図１は、本発明の実施の形態に係るネットワークの一例を示す概略構成図である。
【００１８】
ネットワークは、例えば、東京において稼働しているパーソナルコンピュータ（以下、ＰＣ）２と、上海において可動しているＰＣ３とをインターネット４を介してサーバ１と接続して構成している。サーバ１は、ユーザーがＰＣ２またはＰＣ３を介して予定としてのスケジュールを作成するソフトウエアや、固有情報としてのユーザーデータ、設備データ、およびカレンダーデータ等のデータベース（以下、ＤＢ）を格納する。サーバ１は、ＰＣ２またはＰＣ３からスケジュール作成の操作信号を受信すると、格納されたオブジェクトデータベースに、予定設定情報としてのスケジュールオブジェクトを作成する。
【００１９】
なお、予定設定情報とは、時間帯、参加するユーザーデータ、および使用する設備データとを有する情報であり、具体的には、サーバ１に登録されたユーザーがある日時において予定を実行する際、その予定を実行する時間帯と、その予定を実行するユーザーとしてのユーザーデータと、その予定において用いる設備としての設備データ等を指定した計画の設定情報である。
【００２０】
図２（ａ）および（ｂ）は、本発明の実施の形態に係るサーバの構成例を示す概略図である。
【００２１】
サーバ１は、ソフトウエアを実行して各部を制御する制御部１０と、スケジュール管理プログラムとしての管理ソフトウエア２０と管理ソフトウエア２０であつかうデータベースであるユーザーＤＢ２１、および管理ソフトウエア２０が作成するオブジェクトを複数有するオブジェクトＤＢ２２とを格納する記憶部１１と、インターネット４に接続されて外部と通信する通信部１２と、制御部１０の処理データを一時的に記憶して動作を補助するメモリ１３とを有する。
【００２２】
管理ソフトウエア２０は、オブジェクトＤＢ２１にユーザーＤＢ２１から複数のデータを引用してオブジェクトを作成する設定情報作成手段としてのオブジェクト作成手段２０ａと、オブジェクト作成手段２０ａによって作成されたオブジェクトにユーザーＤＢ２１から引用された複数のデータを取得してそれらのタイムゾーンを比較するタイムゾーン比較手段２０ｂと、オブジェクト作成手段２０ａが作成しタイムゾーン比較手段２０ｂによってタイムゾーンを比較されたオブジェクトをＰＣ２またはＰＣ３の表示画面に表示できる形式のデータを作成して出力する設定情報提示手段としてのオブジェクト提示手段２０ｃとを有する。
【００２３】
ユーザーＤＢ２１は、後述するユーザーデータ、設備データ、カレンダーデータ等の固有情報を有するデータベースであり、管理ソフトウエア２０により所望のデータが呼び出される。
【００２４】
オブジェクトＤＢ２２は、スケジュールオブジェクト、メール通知オブジェクト等の設定情報を有するデータベースであり、設定情報は、管理ソフトウエア２０により作成される。スケジュールオブジェクトは、実施する時間帯と参加ユーザーデータ、および使用する設備データの指定された予定設定情報であり、例えば、あるユーザーが指定した時間帯においてスケジュールオブジェクトを作成する場合、そのスケジュールオブジェクトに参加するユーザーのユーザーデータと、使用する設備の設備データとを、ユーザーＤＢ２１から呼び出してスケジュールオブジェクトに関連づけることで作成される。
【００２５】
図３は、本発明の実施の形態に係るユーザーＤＢの構成例を示す概略図である。
【００２６】
ユーザーＤＢ２１は、ユーザーそれぞれの固有情報を有するユーザーデータ２１ａと、タイムゾーンや休日等のカレンダー情報を有するカレンダーデータ２１ｂと、会議室や駐車場等の設備情報を有する設備データ２１ｃとを有する。
【００２７】
ユーザーデータ２１ａは、各ユーザー、例えば、「富士太郎」、「王峰」、「山田次郎」ごとに属性が記述されている。ユーザーデータ２１ａの各属性は、ログインに必要な「ユーザー名」、「ユーザー表示名」、「姓」、および「名」と、個人情報を示す「メールアドレス」、「電話番号」、および「住所」と、ウェブブラウザで表示する「言語」、および「文字コード」、ユーザーを識別する「ＩＤ」と、ユーザーに適用するカレンダーデータ２１ｂを示す「カレンダー」を有する。
【００２８】
カレンダーデータ２１ｂは、各カレンダー、例えば、東京本社の稼働日を示す「東京本社カレンダー」、上海支社の稼働日を示す「上海支社カレンダー」、工場の稼働および非稼働を示す「工場」ごとに属性が記述されている。カレンダーデータ２１ｂの各属性は、カレンダーの名前を示す「カレンダー名」、および「カレンダー表示名」、カレンダーの内容を示す「概要」、および「説明」、カレンダーの作成者や更新者を示す「作成者」、「更新者」、カレンダーを識別する「ＩＤ」、カレンダーが属するタイムゾーンを示す「タイムゾーン」、カレンダー内における休日を示す「休日」を有する。
【００２９】
設備データ２１ｃは、各設備、例えば、「本社会議室３０３会議室」、「上海支社１１１会議室」、「本社第１駐車場」ごとに属性が記述されている。設備データ２１ｃの各属性は、設備の名前を示す「設備名」、「設備表示名」、設備の内容を示す「概要」、「説明」、設備の所属を示す「所属」、設備の所在する国や住所を示す「所在地」、設備を識別する「ＩＤ」、設備に適用するカレンダーデータ２１ｂを示す「カレンダー」を有する。
【００３０】
図４Ａは、本発明の実施の形態に係るユーザープロパティ表示画面の一例を示す概略図である。
【００３１】
ユーザープロパティ表示画面２１Ａは、管理ソフトウエア２０にログインして画面を参照しているユーザーを表示する使用ユーザー２１０と、表示しているユーザーのプロパティの編集を開始するプロパティ編集ボタン２１１と、参照しているユーザー名を表示する参照ユーザー２１２ａと、ユーザーのプロパティの内容を示すユーザープロパティ２１３とを有する。例えば、図４Ａに示すプロパティにおいて、ユーザーである「富士太郎」は、カレンダーとして「東京本社カレンダー」に基づいたタイムゾーン、および休日で動作している。
【００３２】
図４Ｂは、本発明の実施の形態に係るユーザープロパティ表示画面の一例を示す概略図である。
【００３３】
例えば、図４Ｂに示すプロパティにおいて、ユーザーである「王峰」は、カレンダーとして「上海支社カレンダー」に基づいたタイムゾーン、および休日で動作している。
【００３４】
図５Ａは、本発明の実施の形態に係るカレンダープロパティ表示画面の一例を示す概略図である。
【００３５】
カレンダープロパティ表示画面２１Ｂは、管理ソフトウエア２０にログインして画面を参照している使用ユーザー２１０と、表示しているカレンダーのプロパティの編集を開始するプロパティ編集ボタン２１１と、参照しているカレンダー名を表示する参照カレンダー２１２ｂと、カレンダーのプロパティの内容を示すカレンダープロパティ２１４とを有する。例えば、図５Ａに示すプロパティにおいて、カレンダーである「東京本社カレンダー」は、タイムゾーンとして「（ＧＭＴ＋０９：００）大阪、札幌、東京」が設定されている。
【００３６】
図５Ｂは、本発明の実施の形態に係るカレンダープロパティ表示画面の一例を示す概略図である。
【００３７】
例えば、図５Ｂに示すプロパティにおいて、カレンダーである「上海支社カレンダー」は、タイムゾーンとして「（ＧＭＴ＋０８：００）北京、重慶、香港、ウルムチ」が設定されている。
【００３８】
図６は、本発明の実施の形態に係るスケジュール作成画面の一例を示す概略図である。
【００３９】
スケジュール作成画面２２Ａは、管理ソフトウエア２０にログインして画面を参照している使用ユーザー２２０と、スケジュールオブジェクトの日付を入力して設定する日付入力部２２１と、スケジュールオブジェクトの時間を入力して設定する時間入力部２２２と、スケジュールオブジェクトのタイトルを入力して設定するタイトル入力部２２３と、スケジュールオブジェクトに参加者を設定するためユーザーの一覧を呼び出す参加者設定ボタン２２４と、ユーザー一覧から選択して設定した参加者を表示する参加者表示部２２５と、スケジュールオブジェクトに設備を設定するための設備の一覧を呼び出す設備設定ボタン２２６と、設備一覧から選択して設定した設備を表示する設備表示部２２７と、後述するスケジュール確認画面を表示する利用可能時間確認ボタン２２８と、スケジュール作成画面２２Ａにおいて表示されている内容でスケジュールオブジェクトを設定して作成する適用ボタン２２９と、設定内容をクリアするキャンセルボタン２３０とを有する。
【００４０】
図７は、本発明の実施の形態に係るスケジュール確認画面の一例を示す概略図である。
【００４１】
スケジュール確認画面２２Ｂは、図６における利用可能時間確認ボタン２２８を選択することにより表示され、管理ソフトウエア２０にログインして画面を参照している使用ユーザー２２０と、スケジュールオブジェクトに設定された日付を表示する日付２３１と、図６に示すスケジュール作成画面２２Ａに戻るための戻るボタン２３２と、図６において設定された参加者、および設備についてそのスケジュールを帯表示するスケジュール２３３と、スケジュール２３３に表示されているスケジュールオブジェクトに内容を追加するために別画面に切り替える書き込みボタン２３４とを有する。
【００４２】
（動作）
以下に、本発明の実施の形態における管理ソフトウエアの動作の一例を各図を参照しつつ説明する。
【００４３】
まず、ユーザー、例えば、「富士太郎」がＰＣ２のウェブブラウザを用いて、東京からインターネット４を介してサーバ１にアクセスすることで、管理ソフトウエア２０と通信できるようになる。新規にスケジュールオブジェクトを作成する場合、まず、管理ソフトウエア２０に所定の操作を実行し、オブジェクト作成手段２０ａを呼び出すことで、図６に示すスケジュール作成画面２２Ａを表示させる。
【００４４】
まず、スケジュール作成画面２２Ａにおいて、日付入力部２２１、時間入力部２２２、およびタイトル入力部２２３に所望の数値を入力する。ここでは、例えば、日付入力部２２１に「２００７年１２月７日」と入力し、時間入力部２２２に時間帯として「１０：００−１２：００」と入力する。ここで、時間入力部２２２に入力される時間帯は、入力しているユーザー、つまり使用ユーザー２２０に関連づけられたカレンダーデータ２１ｂ、「東京本社カレンダー」のタイムゾーンにおける時刻を示すものとする。
【００４５】
次に、参加者設定ボタン２２４を選択することで、管理ソフトウエア２０のオブジェクト作成手段２０ａは、ユーザーＤＢ２１にアクセスし、ユーザーデータ２１ａに登録されたユーザー一覧を図示しない別画面に表示する。次に、ユーザー一覧から所望のユーザーを選択することで、管理ソフトウエア２０のオブジェクト作成手段２０ａは、参加者表示部２２５にユーザーデータ２１ａから選択したユーザーを表示する。ここでは、使用ユーザー２２０である「富士太郎」が、上海でＰＣ３を使用している「王峰」を選択して追加している。
【００４６】
また、管理ソフトウエア２０のタイムゾーン比較手段２０ｂは、選択したユーザーの属性に関連づけられたカレンダーのカレンダーデータ２１ｂを取得し、時間入力部２２２に入力した使用ユーザー２２０のタイムゾーンと比較して参加者表示部２２５に使用ユーザー２２０のタイムゾーンにおける時間を表示する。ここで、「富士太郎」は、使用ユーザー２２０本人であるので、時間入力部２２２に入力された時間と同一の時間である「１０：００−１２：００」を表示し、「王峰」は、中国のカレンダーデータ２１ｂである「上海支社カレンダー」をプロパティに持ち、そのタイムゾーンは「（ＧＭＴ＋０８：００）北京、重慶、香港、ウルムチ」であるので、使用ユーザー２２０のタイムゾーンとの時差１時間を考慮して、「９：００−１１：００」を表示する。
【００４７】
次に、設備設定ボタン２２６を選択することで、管理ソフトウエア２０のオブジェクト作成手段２０ａは、ユーザーＤＢ２１にアクセスし、設備データ２１ｃに登録された設備一覧を図示しない別画面に表示する。次に、設備一覧から所望の設備を選択することで、管理ソフトウエア２０のオブジェクト作成手段２０ａは、設備表示部２２７に設備データ２１ｃから選択した設備を表示する。ここでは、東京にある「本社３０３会議室」と、上海にある「上海支社１１１会議室」を選択して追加している。
【００４８】
また、管理ソフトウエア２０のタイムゾーン比較手段２０ｂは、選択した設備の属性に関連づけられたカレンダーのカレンダーデータ２１ｂを取得し、時間入力部２２２に入力した使用ユーザー２２０のタイムゾーンと比較して設備表示部２２７に設備のタイムゾーンにおける時間を表示する。ここで、「本社３０３会議室」は、日本のカレンダーデータ２１ｂである「東京本社カレンダー」をプロパティに持ち、使用ユーザー２２０のタイムゾーンと同一であるので時間入力部２２２に入力された時間と同一の時間である「１０：００−１２：００」を表示し、「上海１１１会議室」は、中国のカレンダーデータ２１ｂである「上海支社カレンダー」をプロパティに持ち、そのタイムゾーンは「（ＧＭＴ＋０８：００）北京、重慶、香港、ウルムチ」であるので、使用ユーザー２２０のタイムゾーンとの時差１時間を考慮して、「９：００−１１：００」を表示する。
【００４９】
次に、適用ボタン２２９を選択することで、管理ソフトウエア２０のオブジェクト作成手段２０ａは、スケジュール作成画面２２Ａにおいて入力された値と、ユーザーデータ２１ａ、カレンダーデータ２１ｂ、および設備データ２１ｃを用いてスケジュールオブジェクトを作成する。なお、キャンセルボタン２３０を選択することで、スケジュール作成画面２２Ａにおいて入力された値をクリアする。
【００５０】
さらに、利用可能時間確認ボタンを選択することで、管理ソフトウエア２０のオブジェクト提示手段２０ｃは、スケジュール作成画面２２Ａに入力された値と、ユーザーデータ２１ａ、カレンダーデータ２１ｂ、および設備データ２１ｃに基づき、図７に示すスケジュール確認画面２２Ｂを表示する。スケジュール２３３は、ユーザーである「富士太郎」と「王峰」のタイムゾーンを考慮して、時間帯をずらして同一時間となるように表示する。また、同様に、設備である「本社３０３会議室」と「上海支社１１１会議室」のタイムゾーンを考慮して、時間帯をずらして同時となるように表示する。
【００５１】
［他の実施の形態］
なお、本発明は、上記各実施の形態に限定されず、本発明の趣旨を逸脱しない範囲で種々な変形が可能である。
【図面の簡単な説明】
【００５２】
【図１】本発明の実施の形態に係るネットワークの一例を示す概略構成図である。
【図２】（ａ）および（ｂ）は、本発明の実施の形態に係るサーバの構成例を示す概略図である。
【図３】本発明の実施の形態に係るユーザーＤＢの構成例を示す概略図である。
【図４Ａ】本発明の実施の形態に係るユーザープロパティ表示画面の一例を示す概略図である。
【図４Ｂ】本発明の実施の形態に係るユーザープロパティ表示画面の一例を示す概略図である。
【図５Ａ】本発明の実施の形態に係るカレンダープロパティ表示画面の一例を示す概略図である。
【図５Ｂ】本発明の実施の形態に係るカレンダープロパティ表示画面の一例を示す概略図である。
【図６】本発明の実施の形態に係るスケジュール作成画面の一例を示す概略図である。
【図７】本発明の実施の形態に係るスケジュール確認画面の一例を示す概略図である。
【符号の説明】
【００５３】
１…サーバ、２…ＰＣ、３…ＰＣ、４…インターネット、１０…制御部、１１…記憶部、１２…通信部、１３…メモリ、２０…管理ソフトウエア、２０ａ…オブジェクト作成手段、２０ｂ…タイムゾーン比較手段、２０ｃ…オブジェクト提示手段、２１…ユーザーＤＢ、２１ａ…ユーザーデータ、２１ｂ…カレンダーデータ、２１ｃ…設備データ、２１Ａ…ユーザープロパティ表示画面、２１Ｂ…カレンダープロパティ表示画面、２２…オブジェクトＤＢ、２２Ａ…スケジュール作成画面、２２Ｂ…スケジュール確認画面、２１０…使用ユーザー、２１１…プロパティ編集ボタン、２１２ａ…参照ユーザー、２１２ｂ…参照カレンダー、２１３…ユーザープロパティ、２１４…カレンダープロパティ、２２０…使用ユーザー、２２１…日付入力部、２２２…時間入力部、２２３…タイトル入力部、２２４…参加者設定ボタン、２２５…参加者表示部、２２６…設備設定ボタン、２２７…設備表示部、２２８…利用可能時間確認ボタン、２２９…適用ボタン、２３０…キャンセルボタン、２３１…日付、２３２…ボタン、２３３…スケジュール、２３４…書き込みボタン
【図１】
2009059164.tif 000003
【図２】
2009059164.tif 000004
【図３】
2009059164.tif 000005
【図４Ａ】
2009059164.tif 000006
【図４Ｂ】
2009059164.tif 000007
【図５Ａ】
2009059164.tif 000008
【図５Ｂ】
2009059164.tif 000009
【図６】
2009059164.tif 000010
【図７】
2009059164.tif 000011